(57)【要約】【課題】従来のように高い剛性を備える爪部を用いることなくシュラウドを強固に保持することができる、新たなトリガー式液体噴出器を提供する。【解決手段】本発明のトリガー式液体噴出器１は、連結筒３０ａの両側方のそれぞれに、横溝３０ａ１を有し、本体部３の上方に、シュラウド８の上壁８ａの内面に向けて延在する上部壁３０ｎを有し、シュラウド８は、横溝３０ａ１に入り込んでシュラウド８のスライド移動を案内するとともにシュラウド８を上下方向に拘束する底壁８ｃと、上壁８ａの内面から突出し、上部壁３０ｎに設けた凹所３０ｐに入り込んでシュラウド８を抜け止め保持する突起８ｆとを有することを特徴とする。【選択図】図１
2015127029.tif 000002
【特許請求の範囲】
【請求項１】
容器内の内容液を吸引、加圧、圧送するポンプを備える本体部と、該本体部に揺動可能に支持されて牽曳を繰り返すことで該ポンプを駆動させる操作レバーと、該本体部の前方に設けられ加圧された内容液を外界に向けて噴出させるノズルと、該操作レバー及びノズルを残して該本体部を覆い隠すシュラウドとを備えるトリガー式液体噴出器であって、
前記本体部は、容器の口部に取り付けられる装着キャップを保持する連結筒と、内部通路を通して前記ノズルに内容液を送給する横筒とを備え、
該連結筒の両側方のそれぞれに、横溝を設け、該本体部の上方に、前記シュラウドの上壁内面に向けて延在する上部壁を設け、
該シュラウドは、該横溝に入り込んで該シュラウドのスライド移動を案内するとともに該シュラウドを上下方向に拘束する底壁と、該上壁内面から突出し、該上部壁に設けた凹所に入り込んで該シュラウドを抜け止め保持する突起とを有するトリガー式液体噴出器。
【請求項２】
前記連結筒に、該連結筒の外周面から突出しそれらの相互間に前記横溝を備える一対の横リブを備える請求項１に記載のトリガー式液体噴出器。
【請求項３】
前記横リブは、前記底壁の前記横溝への入り込みを誘導するＲ部又は傾斜部を有する請求項２に記載のトリガー式液体噴出器。
【請求項４】
前記上部壁を、前記横筒の軸線を挟んで一対設け、前記上壁内面に、この一対の上部壁を挟む一対の位置決めリブを備える請求項１〜３の何れか一項に記載のトリガー式液体噴出器。
【発明の詳細な説明】
【技術分野】
【０００１】
本発明は、トリガー式液体噴出器に関するものであり、特に、噴出器の大部分を覆い隠すシュラウドと、このシュラウドを保持する本体部に関する。
【背景技術】
【０００２】
黴取り剤や洗剤、衣料用糊剤、住居用ワックス、整髪剤、芳香剤等の内容液を入れた容器においては、容器の口部に装着され、操作レバーを牽曳することによって本体部に設けたポンプを駆動して容器内の液体を直線状、霧状あるいは泡状にして噴射させるトリガー式液体噴出器が多用されており（例えば特許文献１参照）、これにより内容液の効率的な供給を可能にしている。
【０００３】
かかる噴出器は、特許文献１の図１、図２に示されているように、操作レバーやノズルを残して噴出器の全体を覆うシュラウド（特許文献１ではカバー）を備えていて、これを本体部（特許文献１では噴出器本体）に装着することで美観を高めている。
【先行技術文献】
【特許文献】
【０００４】
【特許文献１】特開平１１−２９０７３１号公報
【発明の概要】
【発明が解決しようとする課題】
【０００５】
特許文献１の噴出器におけるシュラウドは、本体部の下部から後方に向けて延在する１つの爪部を設け、この爪部をシュラウドの底壁内面に係合させることで、シュラウドの後方への抜け出しを阻止するとともにシュラウドが上方へ外れてしまう不具合を防止している。ところで、この爪部が撓んでしまうとシュラウドが不用意に外れてしまうおそれがあるため、特許文献１では、爪部と本体部との連結部に補強リブを設けるとともに、爪部の肉厚を厚くして、爪部が容易に撓まないようにしている。このため、爪部の形成に要する樹脂量が嵩むという問題がある。
【０００６】
本発明は、このような問題点を解決することを課題とするものであり、その目的は、従来のように高い剛性を備える爪部を用いなくてもシュラウドを強固に抜け止め保持することができる、新たなトリガー式液体噴出器を提案するところにある。
【課題を解決するための手段】
【０００７】
本発明は、容器内の内容液を吸引、加圧、圧送するポンプを備える本体部と、該本体部に揺動可能に支持されて牽曳を繰り返すことで該ポンプを駆動させる操作レバーと、該本体部の前方に設けられ加圧された内容液を外界に向けて噴出させるノズルと、該操作レバー及びノズルを残して該本体部を覆い隠すシュラウドとを備えるトリガー式液体噴出器であって、
前記本体部は、容器の口部に取り付けられる装着キャップを保持する連結筒と、内部通路を通して前記ノズルに内容液を送給する横筒とを備え、
該連結筒の両側方のそれぞれに、横溝を設け、該本体部の上方に、前記シュラウドの上壁内面に向けて延在する上部壁を設け、
該シュラウドは、該横溝に入り込んで該シュラウドのスライド移動を案内するとともに該シュラウドを上下方向に拘束する底壁と、該上壁内面から突出し、該上部壁に設けた凹所に入り込んで該シュラウドを抜け止め保持する突起とを有するトリガー式液体噴出器である。
【０００８】
前記連結筒に、該連結筒の外周面から突出しそれらの相互間に前記横溝を備える一対の横リブを備えることが好ましい。
【０００９】
前記横リブは、前記底壁の前記横溝への入り込みを誘導するＲ部又は傾斜部を有することが好ましい。
【００１０】
前記上部壁を、前記横筒の軸線を挟んで一対設け、前記上壁内面に、この一対の上部壁を挟む一対の位置決めリブを備えることが好ましい。
【発明の効果】
【００１１】
本発明のトリガー式液体噴出器は、本体部に設けた連結筒の両側方のそれぞれに、横溝を設け、また、本体部の上方に、シュラウドの上壁内面に向けて延在する上部壁を設けている。更に、シュラウドには、横溝に入り込む底壁と、上壁内面から突出して上部壁に設けた凹所に入り込む突起とを設けている。これにより、横溝と底壁との連係によってシュラウドをスライド移動させることができるため、シュラウドを簡単に取り付けることができる。また底壁は横溝によって上下方向に拘束されるため、シュラウドを引き上げても本体部から簡単に外れてしまうことがない。また、本体部の上部壁に設けた凹所にシュラウドの爪部が入り込むので、シュラウドを抜け止め保持することができる。このような横溝は、連結筒の外周面から一対の横リブを突出させ、これらの横リブの相互間に設けることができる。
【００１２】
横リブに、底壁の横溝への入り込みを誘導するＲ部又は傾斜部を設ける場合は、底壁を横溝に入り込ませる際の位置合わせが容易となるため、取り付け作業が行いやすくなる。
【００１３】
上部壁を、横筒の軸線を挟んで一対設け、上壁内面に、この一対の上部壁を挟む一対の位置決めリブを設ける場合は、シュラウドが本体部の連結部を中心に回転して位置ずれしてしまう不具合を有効に防止することができる。
【図面の簡単な説明】
【００１４】
【図１】本発明に従うトリガー式液体噴出器の一実施形態を示す、側面視での断面図である。
【図２】図１に示す本体部（ボディ）とシュラウドの組み付け状態を説明する図である。
【図３】図１に示す本体部（ボディ）に関し、（ａ）は側面図であり、（ｂ）は背面図である。
【図４】図３に示す本体部（ボディ）の平面図である。
【図５】図１に示すシュラウドに関し、（ａ）は正面図であり、（ｂ）は側面図である。
【図６】図５に示すシュラウドの下面図である。
【発明を実施するための形態】
【００１５】
以下、図面を参照して、本発明をより具体的に説明する。なお、本願明細書、特許請求の範囲、要約書、及び図面では、後述するシュラウドの上壁が位置する側を上方（図１における上側）とし、装着キャップが設けられる側を下方（図１における下側）とする。また、ノズルが設けられる側を前方（図１における左側）とし、その反対側を後方（図１における右側）とする。また、上下方向及び前後方向に対して直交する方向（図１における紙面に垂直な方向）を側方（左右方向）とする。
【００１６】
図１における符号１は、トリガー式液体噴出器の一実施形態を示す。トリガー式液体噴出器１は、容器Ｃの口部に取り付けられる装着キャップ２と、装着キャップ２を回転自在且つ抜け出し不能に保持するとともに、容器Ｃ内の内容液を吸引、加圧、圧送するポンプを備える本体部３と、本体部３に連結するとともに容器Ｃの底部に向けて延び、ポンプを駆動させることで容器Ｃ内の内容液を吸い上げるパイプ４と、本体部３の前方に設けられ、内容液を外界に向けて噴出させるノズル５と、本体部３に揺動可能に保持され、牽曳を繰り返すことでポンプを駆動させる操作レバー６と、操作レバー６に復元力を付与するバネ部材７と、本体部３を覆い隠すシュラウド８とを備えている。
【００１７】
装着キャップ２は、円筒状となる側壁２ａの内面に、容器Ｃの口部に設けたねじ部に適合するねじ部２ｂを有している。また、側壁２ａの上方には、中央部に上部開口２ｃを有する天壁２ｄが設けられている。
【００１８】
本実施形態において本体部３は、複数の部材から構成されていて、装着キャップ２は、その一つをなすボディ３０に取り付けられる。ボディ３０の下方には、その下部を上部開口２ｃに挿通する円筒状の連結筒３０ａが設けられている。連結筒３０ａは、その外周面に、径方向外側に延在するフランジ３０ｂを備えている。ボディ３０に取り付けられた装着キャップ２は、フランジ３０ｂによって抜け止めされるとともに連結筒３０ａに対して回転自在に保持されるため、装着キャップ２のみを回転させることで、ボディ３０を容器Ｃに取り付けることができる。また、フランジ３０ｂの下方には、容器Ｃとフランジ３０ｂとで挟持されるパッキンＰが設けられている。
【００１９】
更に連結筒３０ａについて、図２〜図３を参照して詳細に説明する。連結筒３０ａは、その両側方に、連結筒３０ａの外周面から突出するとともにそれらの相互間に横溝３０ａ１を備える一対の横リブ３０ａ２を備えている。図３（ａ）に示すように下方の横リブ３０ａ２の後方には、Ｒ部３０ａ３が設けられている。また、連結筒３０ａは、その上縁に、径方向内側に延在する頂壁３０ｃを備えていて、頂壁３０ｃの両側方には、上方に向けて起立する一対の板状壁３０ｃ１が設けられている。板状壁３０ｃ１は、後述するシリンダーとの間に架け渡される補強リブ３０ｃ２と連結している。なお、連結筒３０ａの外周面に前後方向に延びる凹部を設け、この凹部を横溝３０ａ１としてもよい。
【００２０】
そして、図１に示すように連結筒３０ａの上方には、連結筒３０ａに対して後方に偏心するとともに連結筒３０ａよりも小径となる縦筒３０ｄが設けられていて、縦筒３０ｄの上方には、前方に向けて延在する横筒３０ｅが設けられている。ここで縦筒３０ｄの内部と横筒３０ｅの内部通路とは、穴Ｈａを介してつながっている。また横筒３０ｅの前方側には、上方及び側方に延在する板状壁３０ｆが設けられ、板状壁３０ｆには、前方に向けて突出する円柱部３０ｇ、及び円柱部３０ｇの径方向外側に位置する円筒部３０ｈが設けられている。また、図４に示すように横筒３０ｅの両側方には、隙間をあけて横筒３０ｅを間に挟む一対のサイド壁３０ｉが設けられている。なお、詳細は後述するが、サイド壁３０ｉの下端３０ｉ１（図３（ａ）、（ｂ）参照）は、組み立てた際にシュラウド８に連係するように構成されている。また、図４に示すようにサイド壁３０ｉには、側面視にてＵ字状をなす上方開放の溝部３０ｊが設けられている。
【００２１】
また、図３、図４に示すように横筒３０ｅの上方には、横筒３０ｅの延在する向きに沿って伸びるとともに上方へ向けて起立する上部壁３０ｎが設けられている。本実施形態では、横筒３０ｅの軸線を挟んで一対設けられている。各上部壁３０ｎの後方には、上部壁３０ｎの頂部を凹ませた凹所３０ｐが２箇所設けられている。また、上部壁３０ｎの後端には、一対のサイド壁３０ｉにつながる後端壁３０ｑが設けられている。
【００２２】
また、図１に示すように横筒３０ｅの下方には、縦筒３０ｄから前方に向けて突出する円筒状のシリンダー３０ｋが設けられていて、シリンダー３０ｋの径方向内側には、シリンダー３０ｋと同心二重配置となる、円筒状の区画筒部３０ｍが設けられている。また、シリンダー３０ｋと区画筒部３０ｍとの相互間には、縦筒３０ｄを貫く穴Ｈｂが設けられ、区画筒部３０ｍの内側には、縦筒３０ｄを貫く穴Ｈｃが設けられている。更に、シリンダー３０ｋには、その内外を連通させた穴Ｈｄ（外気導入口）が設けられている。また、図３（ａ）、（ｂ）に示すように、シリンダー３０ｋの外周面には、リブ（ストッパーリブ）３０ｋ１が設けられている。
【００２３】
そして、図１に示すように縦筒３０ｄ内には、円筒状のインテイク３１が設けられている。インテイク３１の下方には、径方向外側に延在するフランジ３１ａが設けられていて、フランジ３１ａには、シリンダー３０ｋに設けた外気導入口Ｈｄに連通する穴Ｈｅが設けられている。また、インテイク３１の下端には、前述のパイプ４が嵌合保持されている。更にインテイク３１の内部通路の中間部には、中央部に穴Ｈｆを有するとともに上方に向けて拡径し、後述する吐出弁体が着座する吐出弁座３１ｂが設けられている。そして吐出弁座３１ｂの上方には、穴Ｈｃに連通する穴Ｈｇが設けられ、穴Ｈｇの上方には、穴Ｈｂに連通する穴Ｈｈが設けられ、穴Ｈｈの上方には、穴Ｈａに連通する切り欠きＫが設けられている。
【００２４】
インテイク３１の内部には、弁体３２が設けられている。弁体３２は、インテイク３１内で移動不能に保持される基部３２ａを備えている。基部３２ａは、その下端部（平板状をなしている）がインテイク３１に設けた段部で嵌合保持され、その上端部（棒状をなしている）が縦筒３０ｄの突起と当接して保持される。なお、基部３２ａの中間部には、周方向に間欠状に配置されるリブ３２ａ１が設けられている。また、基部３２ａの下端部には、基部３２ａと一体に連結する弾性部３２ｂが設けられ、弾性部３２ｂには、これに一体に連結して吐出弁座３１ｂに着座する吐出弁体３２ｃが設けられている。また、リブ３２ａ１の上部には、上方に向けて拡径するとともにその先端部がインテイク３１の内周面に弾性的に当接する吸い上げ弁体３２ｄが設けられている。
【００２５】
シリンダー３０ｋの内側には、ピストン３３が設けられている。ピストン３３は、シリンダー３０ｋの内周面に摺動可能に当接する環状の摺動部３３ａを有していて、摺動部３３ａには、前方に向けて延在するとともに前方側の端部を閉塞した周壁部３３ｂが設けられている。また、周壁部３３ｂの前方側端部には、前述の操作レバー６に係合する係合穴３３ｃが設けられている。なお、摺動部３３ａは、操作レバー６が牽曳されていない状態において、シリンダー３０ｋの外気導入口Ｈｄを塞ぐ位置に設けられている。
【００２６】
このように本実施形態では、ボディ３０、インテイク３１、弁体３２、ピストン３３、及びパッキンＰによって、ポンプ機能を有する本体部３を構成している。
【００２７】
ノズル５は、本実施形態では、ボディ３０に装着される基体５０と、基体５０に装着されるノズルカバー５１の２部材で構成されている。
【００２８】
基体５０は、ボディ３０に設けた円柱部３０ｇの前方側に配される縦壁５０ａを有していて、縦壁５０ａには、円柱部３０ｇを取り囲んで後方へ向けて延在する内側筒状壁５０ｂと、内側筒状壁５０ｂの径方向外側にて円筒部３０ｈの内周面に当接する外側筒状壁５０ｃが設けられている。これによりノズル５は、円柱部３０ｇを中心に回動可能に保持される。なお、基体５０はボディ３０に対して抜け止め保持（例えば板状壁３０ｆに爪部を設け、これに係合する爪部を基体５０に設ける）されている。ここで、内側筒状壁５０ｂの内側には、縦壁５０ａを貫く貫通穴５０ｄが設けられていて、円柱部３０ｇの外周面と内側筒状壁５０ｂの内周面には、それぞれ前後方向に延在する溝が設けられている。これにより、基体５０を回転させて相互の溝が合わさることで、横筒３０ｅの内部通路と貫通穴５０ｄとが連通して内容液の噴出が可能となる一方、これらの溝がずれている時は、横筒３０ｅの内部通路と貫通穴５０ｄとは非連通となって、内容液の噴出を阻止することができる。また、外側筒状壁５０ｃの径方向外側には、横断面形状が矩形状となる外壁５０ｅが設けられている。
【００２９】
ノズルカバー５１は、基体５０に保持される連結部５１ａ（本実施形態の連結部５１ａは、縦壁５０ａに設けた穴に係合する爪部を備えている）と、連結部５１ａにヒンジ５１ｂを介して一体に連結するとともに、内容液を外界に向けて噴出させる噴出口５１ｃを形成した衝突壁５１ｄとを備えている。なお、噴出口５１ｃは、衝突壁５１ｄをヒンジ５１ｂにて折り曲げた際に（この時、折り曲げた衝突壁５１ｄは外壁５０ｅに係合保持される）、貫通穴５０ｄの前方に位置するように設けられている。
【００３０】
操作レバー６は、前壁６ａ、及び前壁６ａの両側方に設けられる一対の側壁６ｂを有するものであり、各側壁６ｂの上方には、ボディ３０の溝部３０ｊに揺動可能に連係する円柱状の枢支軸６ｃが設けられている。また、操作レバー６の中間部には、前壁６ａを貫通するとともにピストン３３との干渉を避ける逃がし穴６ｄが設けられていて、逃がし穴６ｄの側方には、係合穴３３ｃに連係する円柱状の凸部６ｅが設けられている。
【００３１】
バネ部材７は、操作レバー６の後方において、ボディ３０の横筒３０ｅとシリンダー３０ｋとの間で保持され、前方へ向けて伸延しつつ湾曲しながら下方に向けて延在する形態をなすものであり、操作レバー６に対して常時前方へ向かう付勢力を付与している。
【００３２】
シュラウド８は、上方に設けられた上壁８ａ、及び上壁８ａの側方から下方に向けて延在する一対の側壁８ｂを備えていて、側壁８ｂの後方下端には底壁８ｃが設けられている。また、図５（ａ）、（ｂ）及び図６に示すように両側壁８ｂの内面には、その下方において前後方向に延在する横壁８ｄ１と、横壁８ｄ１の内側端縁より下方に向けて伸延する縦壁８ｄ２とで構成され、横断面形状がＬ字状となるガイドリブ８ｄが設けられている。また、両側壁８ｂの上方には、その内面から内方に向けて突出するとともに前後方向に延在する上部横壁８ｅ１と、上部横壁８ｅ１の内側端縁より上方に向けて伸延する上部縦壁８ｅ２とで構成される上部ガイドリブ８ｅが設けられている。更にガイドリブ８ｅは、上部横壁８ｅ１の下面において前後方向に延在する縦板８ｅ３を備えている。上壁８ａの内面には、前方側を傾斜させた突起８ｆが設けられている（本実施形態では３個）。また、突起８ｆの前方には、一対のリブ（位置決めリブ）８ｇが設けられている。
【００３３】
上記のような構成となるトリガー式液体噴出器１によれば、操作レバー６の牽曳によってピストン３３が後方に押し込まれることで、シリンダー３０ｋ内の内容液は、穴Ｈｂ及び穴Ｈｈを通ってインテイク３１の内部通路内に圧入される。内容液の内圧上昇によって吸い上げ弁体３２ｄは縮径するため、内容液は、吸い上げ弁体３２ｄとインテイク３１との間に形成される隙間を通り、切り欠きＫ、穴Ｈａ、及び横筒３０ｅの内部通路を通り、貫通穴５０ｄを介して噴出口５１ｃから噴出される。
【００３４】
次いで操作レバー６の牽曳を停止し、バネ部材７の付勢力で操作レバー６が元の位置に戻ることでピストン３３も前方に移動し、シリンダー３０ｋ内が負圧化される。これにより、吐出弁体３２ｃが吐出弁座３１ｂから離反し、容器Ｃ内の内容液が、パイプ４を介してインテイク３１の内部通路内に導入され、穴Ｈｆ及び穴Ｈｃを通ってシリンダー３０ｋ内に導入される。なお、ピストン３３が元の位置に戻るまでは、シリンダー３０ｋに設けられた外気導入口Ｈｄが開口しているので、外気を、外気導入口Ｈｄからインテイク３１の穴Ｈｅを介して容器Ｃ内に取り込むことができる。このため、噴出に従って容器Ｃ内の内容液が減少しても、外気が容器Ｃ内に取り込まれるので、負圧によって容器Ｃが変形することはない。
【００３５】
次に、図１、図２を参照しつつ、シュラウド８の取り付け方法について説明する。なお、図２では説明上、ピストン３３や操作レバー６等は省略して示している。シュラウド８をボディ３０に取り付けるに当たっては、ボディ３０の板状壁３０ｃ１にシュラウド８のガイドリブ８ｄを連係させるとともに、サイド壁３０ｉの下端３０ｉ１に上部ガイドリブ８ｅを連係させ、また、横リブ３０ａ２間の横溝３０ａ１に底壁８ｃを入り込ませるようにして、ボディ３０の後方から前方に向かってシュラウド８をスライド移動させる。本実施形態では、図３（ａ）に示すように底壁８ｃの入口となる横リブ３０ａ２の後方にＲ部３０ａ３を設けているので、底壁８ｃを横溝３０ａ１に入り込ませる際の位置合わせが容易となる。なお、Ｒ部３０ａ３の代わりに、前方から後方へ向けて横溝３０ａ１の幅が広くなるようにした傾斜部を設けてもよい。そしてスライド移動を継続していくと、図５（ｂ）に示す縦板８ｅ３の前方側端部が、図３（ａ）に示すストッパーリブ３０ｋ１に当接する。この時、シュラウド８に設けた２つの突起８ｆが、ボディ３０の上部壁３０ｎに形成した２つの凹所３０ｐに入り込み、もう１つの突起８ｆが、ボディ３０の後端壁３０ｑに係合し、シュラウド８はボディ３０に抜け止め保持される。また、底壁８ｃは横溝３０ａ１によって上下方向に拘束されるため、シュラウド８をボディ３０に対して引き上げても、簡単に外れてしまうことがない。また本実施形態では、図２に示すように、シュラウド８に設けた一対の位置決めリブ８ｇが、ボディ３０に設けた一対の上部壁３０ｎを挟む位置に設けられているので、シュラウド８がボディ３０の連結筒３０ａを中心として回転してしまう不具合が防止できる
【００３６】
なお、本発明に従うトリガー式液体噴出器の内部構造は、本実施形態のものに限られず、通常使用される他の構造を用いることができる。
【産業上の利用可能性】
【００３７】
本発明によれば、従来のように高い剛性を備える爪部を用いる必要がなく、またシュラウドが強固に保持されるのでシュラウドが本体部から簡単に外れてしまうことがない、新規のトリガー式液体噴出器を提供することができる。
【符号の説明】
【００３８】
１  トリガー式液体噴出器
２  装着キャップ
２ａ  側壁
２ｂ  ねじ部
２ｃ  上部開口
２ｄ  天壁
３  本体部
４  パイプ
５  ノズル
６  操作レバー
６ａ  前壁
６ｂ  側壁
６ｃ  枢支軸
６ｄ  逃がし穴
６ｅ  凸部
７  バネ部材
８  シュラウド
８ａ  上壁
８ｂ  側壁
８ｃ  底壁
８ｄ  ガイドリブ
８ｄ１  横壁
８ｄ２  縦壁
８ｅ  上部ガイドリブ
８ｅ１  上部横壁
８ｅ２  上部縦壁
８ｅ３  縦板
８ｆ  突起
８ｇ  リブ（位置決めリブ）
３０  ボディ
３０ａ  連結筒
３０ａ１  横溝
３０ａ２  横リブ
３０ａ３  Ｒ部
３０ｂ  フランジ
３０ｃ  頂壁
３０ｃ１  板状壁
３０ｃ２  補強リブ
３０ｄ  縦筒
３０ｅ  横筒
３０ｆ  板状壁
３０ｇ  円柱部
３０ｈ  円筒部
３０ｉ  サイド壁
３０ｉ１  下端
３０ｊ  溝部
３０ｋ  シリンダー
３０ｋ１  リブ（ストッパーリブ）
３０ｍ  区画筒部
３０ｎ  上部壁
３０ｐ  凹所
３０ｑ  後端壁
３１  インテイク
３１ａ  フランジ
３１ｂ  吐出弁座
３２  弁体
３２ａ  基部
３２ａ１  リブ
３２ｂ  弾性部
３２ｃ  吐出弁体
３２ｄ  吸い上げ弁体
３３  ピストン
３３ａ  摺動部
３３ｂ  周壁部
３３ｃ  係合穴
５０  基体
５０ａ  縦壁
５０ｂ  内側筒状壁
５０ｃ  外側筒状壁
５０ｄ  貫通穴
５０ｅ  外壁
５１  ノズルカバー
５１ａ  連結部
５１ｂ  ヒンジ
５１ｃ  噴出口
５１ｄ  衝突壁
Ｃ  容器
Ｈａ〜Ｈｈ  穴
Ｋ  切り欠き
Ｐ  パッキン
【図１】
2015127029.tif 000003
【図２】
2015127029.tif 000004
【図３】
2015127029.tif 000005
【図４】
2015127029.tif 000006
【図５】
2015127029.tif 000007
【図６】
2015127029.tif 000008